【事件の表示】
　特願２０００−　２２７４２「ズームレンズ鏡筒の選択組立装置」拒絶査定不服審判事件〔平成１３年　８月１０日出願公開、特開２００１−２１５３７８〕について、次のとおり審決する。
【結　論】
　本件審判の請求は、成り立たない。
【理　由】
１．手続の経緯
　本願は、出願日が平成１２年１月３１日である特願２０００−２２７４２号であって、平成１６年１２月９日付で拒絶査定がなされ、これに対し平成１７年１月１３日付で拒絶査定に対する審判請求がなされ、平成１７年２月８日付で手続補正がなされた。
　
２．平成１７年２月８日付の手続補正についての補正却下の決定
［補正却下の決定の結論］
　　平成１７年２月８日付の手続補正（以下、「本件補正」という。）を却下する。
［理由］新規事項、独立特許要件違反
（１）補正後の本願発明
　本件補正により、特許請求の範囲の請求項１は、平成１６年１０月１８日付手続補正書の特許請求の範囲の請求項１記載の、
「内周面に光軸を中心とする円周方向に１２０゜間隔で形成した光軸と平行な３本の直進案内溝と、該内周面に各直進案内溝の間に位置させて形成した同一仕様の３つの雌ヘリコイドと、を有し、光軸回りの回転を拘束される固定環；
　外周面に各雌ヘリコイドとそれぞれ螺合可能な同一仕様の３つの雄ヘリコイドを光軸を中心とする円周方向に並べて形成し、内周面に光軸を中心とする円周方向に１２０゜間隔で３組の有底カム溝を形成し、回転駆動されるカム環；
　上記固定環の各直進案内溝とそれぞれ係合可能であり光軸を中心とする円周方向に１２０゜間隔で突設した３本の直進案内突起と、光軸を中心とする円周方向に１２０゜間隔で形成した光軸と平行な３本の直進案内貫通溝とを有し、上記カム環と相対回転は自在に光軸方向には一緒に移動するように組み立てられる直進案内環；
　光軸を中心とする円周方向に１２０゜間隔で突設した、直進案内環の各直進案内貫通溝とそれぞれ係合可能な３つの摺動突起と、この摺動突起上にそれぞれ形成した、カム環の各有底カム溝とそれぞれ係合可能な３つのカムフォロアとを有する複数のレンズ枠；
を備え、
　上記カム環と直進案内環は、両者の相対回転位置を、上記円周方向に１２０°間隔で設定した特定の３つの位置から選択して組み立てられ、
　各レンズ枠の各摺動突起と各カムフォロアは、上記カム環と直進案内環の各直進案内貫通溝と各カム溝に、１２０゜毎の３つの円周方向位置のいずれかの位置を選択して係合され、
　上記カム環と直進案内環とレンズ枠の組立体は、該カム環と直進案内環の選択した相対回転位置を維持したまま、直進案内環の３つの直進案内突起を固定環の３つの直進案内溝に選択してそれぞれ係合し、この状態で固定環の各雌ヘリコイドとカム環の各雄ヘリコイド（「雌ヘリコイド」は誤記と認める。）をそれぞれ螺合することにより該固定環と組み立てられることを特徴とするズームレンズ鏡筒の選択組立装置。」が
「内周面に光軸を中心とする円周方向に１２０゜間隔で形成した、光軸と平行で、その前端が該内周面の前端より後方に位置する３本の直進案内溝と、該内周面に形成した、各直進案内溝に対して特定の方向に傾斜しつつ各直進案内溝の前端から前方に延び、その前端が開放端となっている３本の導入溝と、該内周面に各直進案内溝及び導入溝の間に位置させて形成した、各導入溝と平行で互いに同一仕様の３つの雌ヘリコイドと、を有し、光軸回りの回転を拘束される固定環；
　外周面に各雌ヘリコイドとそれぞれ螺合可能な同一仕様の３つの雄ヘリコイドを光軸を中心とする円周方向に並べて形成し、内周面に光軸を中心とする円周方向に１２０゜間隔で３組の有底カム溝を形成し、回転駆動されるカム環；
　上記固定環の各導入溝及び直進案内溝とそれぞれ係合可能であり光軸を中心とする円周方向に１２０゜間隔で突設した３本の直進案内突起と、光軸を中心とする円周方向に１２０゜間隔で形成した光軸と平行な３本の直進案内貫通溝とを有し、上記カム環と相対回転は自在に光軸方向には一緒に移動するように組み立てられる直進案内環；
　光軸を中心とする円周方向に１２０゜間隔で突設した、直進案内環の各直進案内貫通溝とそれぞれ係合可能な３つの摺動突起と、この摺動突起上にそれぞれ形成した、カム環の各有底カム溝とそれぞれ係合可能な３つのカムフォロアとを有する複数のレンズ枠；
を備え、
　直進案内環の３本の直進案内突起と上記カム環の３組の有底カム溝は、円周方向に１２０°間隔の３つ係合位置から一つを任意に選択して係合可能な構造であり、
　各レンズ枠の各摺動突起と各カムフォロアは、上記カム環の各有底カム溝と直進案内環の各直進案内貫通溝とに、円周方向に１２０゜間隔の３つの係合位置から一つを選択して係合可能な構造であり、
　上記カム環と直進案内環とレンズ枠の組立体は、該カム環と直進案内環の選択した相対回転位置を維持したまま、直進案内環の３つの直進案内突起を固定環の３つの上記導入溝に、その前方開放端から円周方向に１２０゜間隔の３つの係合位置から一つを選択してそれぞれ係合し、その状態で固定環に対して相対回転させて、各雄ヘリコイドを各雌ヘリコイドとそれぞれ螺合し、かつ、３つの直進案内突起を各直進案内溝に係合させて、該固定環に組み立てられることを特徴とするズームレンズ鏡筒の選択組立装置。」と補正された。　　
　この補正は、
ａ．固定環に関し、補正前の「内周面に光軸を中心とする円周方向に１２０゜間隔で形成した光軸と平行な３本の直進案内溝と、該内周面に各直進案内溝の間に位置させて形成した同一仕様の３つの雌ヘリコイドと、を有し」を「内周面に光軸を中心とする円周方向に１２０゜間隔で形成した、光軸と平行で、その前端が該内周面の前端より後方に位置する３本の直進案内溝と、該内周面に形成した、各直進案内溝に対して特定の方向に傾斜しつつ各直進案内溝の前端から前方に延び、その前端が開放端となっている３本の導入溝と、該内周面に各直進案内溝及び導入溝の間に位置させて形成した、各導入溝と平行で互いに同一仕様の３つの雌ヘリコイドと、を有し」と限定し、
ｂ．直進案内環の直進案内突起に関し、補正前の「上記固定環の各直進案内溝とそれぞれ係合可能であり」を「上記固定環の各導入溝及び直進案内溝とそれぞれ係合可能であり」と限定し、
ｃ．カム環と直進案内環との関係に関し、補正前の「上記カム環と直進案内環は、両者の相対回転位置を、上記円周方向に１２０°間隔で設定した特定の３つの位置から選択して組み立てられ」を「直進案内環の３本の直進案内突起と上記カム環の３組の有底カム溝は、円周方向に１２０°間隔の３つ係合位置から一つを任意に選択して係合可能な構造であり」と補正し、
ｄ．各レンズ枠の各摺動突起と各カムフォロアの、カム環と直進案内環との関係に関し、補正前の「上記カム環と直進案内環の各直進案内貫通溝と各カム溝に、１２０゜毎の３つの円周方向位置のいずれかの位置を選択して係合され」を「上記カム環の各有底カム溝と直進案内環の各直進案内貫通溝とに、円周方向に１２０゜間隔の３つの係合位置から一つを選択して係合可能な構造であり」と補正し、
ｅ．カム環と直進案内環とレンズ枠の組立体と、固定環との関係に関し、補正前の「上記カム環と直進案内環とレンズ枠の組立体は、該カム環と直進案内環の選択した相対回転位置を維持したまま、直進案内環の３つの直進案内突起を固定環の３つの直進案内溝に選択してそれぞれ係合し、この状態で固定環の各雌ヘリコイドとカム環の各雌ヘリコイドをそれぞれ螺合することにより該固定環と組み立てられる」を「上記カム環と直進案内環とレンズ枠の組立体は、該カム環と直進案内環の選択した相対回転位置を維持したまま、直進案内環の３つの直進案内突起を固定環の３つの上記導入溝に、その前方開放端から円周方向に１２０゜間隔の３つの係合位置から一つを選択してそれぞれ係合し、その状態で固定環に対して相対回転させて、各雄ヘリコイドを各雌ヘリコイドとそれぞれ螺合し、かつ、３つの直進案内突起を各直進案内溝に係合させて、該固定環に組み立てられる」と限定し、
たものである。
　
　上記補正のうち、ａ．ｂ．ｅ．は、発明特定事項の減縮に該当し、ｄ．は、明りょうでない記載の釈明を目的とするものに該当するが、ｃ．は、当初明細書または図面に記載がなく、新規事項である。
　新規事項でなく、発明特定事項の減縮に該当するとしても、発明の詳細な説明を参酌しても直進案内環の３本の直進案内突起とカム環の３組の有底カム溝は、円周方向に１２０°間隔の３つ係合位置から一つを任意に選択して係合可能であるとは理解できず、記載が不明確で特許法第３６条第６項の要件を満たしていない。
　さらに、特許請求の範囲に記載された本願発明は、ズームレンズ鏡筒以外の構成が不明で、結局、「選択組立装置」の構成も不明確で特許法第３６条第６項の要件を満たしていない。
　
　したがって、本件補正は、特許法第１７条の２第３項の要件を満たしておらず、あるいは、同条第５項で準用する同法第１２６条第５項の規定に違反するものであり、特許法第１５９条第１項で読み替えて準用する特許法第５３条第１項の規定により却下されるべきものである。
　
３．本願発明について
（１）本願発明
　平成１７年２月８日付の手続補正は上記のとおり却下されたので、本願の請求項１に係る発明（以下、「本願発明」という。）は、平成１６年１０月１８日付手続補正書の請求項１に記載された事項により特定されるものである。（上記、「２．（１）補正後の本願発明」参照。）
　
（２）引用例
　原査定の拒絶の理由に引用された、本願の出願前に頒布された刊行物である特開平８−５８８７号公報（以下、「引用例１」という。）には、以下の点が記載されている。
ア．【０００１】【産業上の利用分野】
　本発明は、カメラのズームレンズ機構に関するのものである。
　
イ．【０００７】【実施例】
　以下、本発明の実施例に係るズームレンズ鏡胴について、図面を用いて説明する。　
　まず、ズームにかかわる全体構成について、図１から図６を用いて説明する。
１はカメラボディで、２は前記カメラボディ１に固定され、内面にメスヘリコイド２ａ、直進溝２ｂを有する
固定筒
回転前進筒
直進筒Ａ
【０００８】
　６は前記回転前進筒４のテーパーカム４ｃ、前記直進筒Ａ５のカム穴５ｅと係合するカムフォロワーＡで、後述する
カム環７
【０００９】
　９は前記カム環７の１群用テーパーカム７ｃと係合するカムフォロワーＢで、後述する１群レンズ保持筒１０に固着される。１０は前記カムフォロワーＢ９の固定部１０ａをもち、前記直進筒Ｂ８の１群用直進ガイド部８ｃとの係合部１０ｂを有する１群レンズ保持筒で、後述の１群レンズ玉枠１１の固定部１０ｃ、後述のバリアユニット３０の収納部１０ｄを備えている。１１は前記１群レンズ保持筒１０の固定部１０ｃとの結合部１１ａ、及び後述のフォーカス台板１４のバリア駆動カム１４ｃとバリアユニット３０のバリア作動リング３０ａのカムとがバリア作動時に係合する為の逃げ穴１１ｂを有する１群レンズ玉枠で、内側に後述の１群レンズ１７を保持している。１２は前記カム環７の３群用テーパーカム７ｄと係合するカムフォロワー部１２ａ、前記直進筒Ｂ８の３群用直進ガイド部８ｄとの係合する直進キー部１２ｂを有する３群レンズ玉枠である。１４は前記直進筒Ｂ８に結合されているフォーカス台板で、後述のバリアユニット３０と係合するバリア駆動カム１４ｃを３個備えている。
　
ウ．【００１５】
　次に、ズーミングの動作について図１から図６を用いて説明する。図２もしくは図３の状態から不図示のズームモータが回転すると、回転力は同じく不図示の減速系を介して前記長ギア３に伝達され前記長ギア３は回転を始める。前記長ギア３は、上述のように前記回転前進筒４のギア４ｂと噛み合っているので、前記回転前進筒４にも回転力が伝達される。前記回転前進筒４は、オスヘリコイド４ａが前記固定筒２のメスヘリコイド２ａと噛み合っているので、上述のように回転力が伝達されると、前記固定筒２に対して回転しながら光軸方向に前進する。前記直進筒Ａ５は、バヨネット爪部５ｃが前記回転前進筒４のバヨネット部４ｄと係合しており、また直進リブ５ｄが前記固定筒２内面の直進溝２ｂと係合しているので、前記回転前進筒４が光軸方向に回転前進するのに伴って前記回転前進筒４と光軸方向一体に直進する。
【００１６】
　前記カム環７は、固定部７ａに固着した前記カムフォロワーＡ６が、前記回転前進筒４内面のテーパーカム４ｃと前記直進筒Ａ５のカム穴５ｅに係合しているので、前記回転前進筒４と前記直進筒Ａ５が相対的に回転すると、前記カム環７は前記直進筒Ａ５に対して回転しながら前進する。前記直進筒Ｂ８は、バヨネット爪部８ａが前記カム環７のバヨネット部７ｂと係合しており、また直進リブ８ｂが前記直進筒Ａ５内面の直進溝５ｆと係合しているので、前記カム環７が光軸方向に回転前進するのに伴って前記カム環７と光軸方向一体に直進する。前記直進筒Ｂ８内側のフォーカスブロック部８ｅには前記メスヘリコイド１３を介して前記２群レンズ玉枠１５が係合しているので、前記２群レンズ玉枠１５はズーミングにより前記直進筒Ｂ８と光軸方向一体に直進する。
【００１７】
　前記１群レンズ保持筒１０は、固定部１０ａに固着した前記カムフォロワーＢ９が前記カム環７内面の１群用テーパーカム７ｃと、前記係合部１０ｂが前記直進筒Ｂ８の１群用直進ガイド部８ｃに係合しており、前記カム環７と前記直進筒Ｂ８が相対的に回転すると、前記１群レンズ保持筒１０は前記直進筒Ｂ８に対して直進前進する。前記１群レンズ玉枠１１は前記１群レンズ保持筒１０に固着しているので、前記１群レンズ保持筒１０と一体的に移動する。前記３群レンズ玉枠１２は、前記１群レンズ保持筒１０と同じ手段によって前記カム環７、前記直進筒Ｂ８と関連ずいており、カムフォロワー部１２ａが前記カム環７内面の３群用テーパーカム７ｄと、前記直進キー部１２ｂが前記直進筒Ｂ８の３群用直進ガイド部８ｄに係合し、前記カム環７と前記直進筒Ｂ８が相対的に回転すると、前記３群レンズ玉枠１２は前記直進筒Ｂ８に対して直進前進する。
　
　したがって、上記記載事項、及び図面等から引用例１には、
「内周面に光軸を中心とする円周方向に１２０゜間隔で形成した光軸と平行な３本の直進溝２ｂと、該内周面に直進溝２ｂの間に位置させて形成した同一仕様の３つのメスヘリコイド２ａと、を有し、光軸回りの回転を拘束される固定筒２；
　外周面に各メスヘリコイド２ａとそれぞれ螺合可能な同一仕様の３つのオスヘリコイド４ａを光軸を中心とする円周方向に並べて形成し、内周面に光軸を中心とする円周方向に１２０゜間隔で３組の有底のテーパーカム４ｃを形成し、回転駆動される回転前進筒４；
　上記固定筒２の各直進溝２ｂとそれぞれ係合可能であり光軸を中心とする円周方向に１２０゜間隔で突設した３本の直進リブ５ｄと、光軸を中心とする円周方向に１２０゜間隔で形成した３本のカム穴５ｅとを有し、上記回転前進筒４と相対回転は自在に光軸方向には一緒に移動するように組み立てられる直進筒Ａ５；
　光軸を中心とする円周方向に１２０゜間隔で突設した、直進筒Ａ５の各カム穴５ｅと回転前進筒４のテーパーカム４ｃと、それぞれ係合可能な３つのカムフォロワーＡ６を有するカム環７；
　カム環７の１群用テーパーカム７ｃ、３群用テーパーカム７ｄとそれぞれ係合するカムフォロワーＢ９、カムフォロワー部１２ａを有し、カム環７と直進筒Ｂ８が相対的に回転すると直進前進する１群レンズ保持筒１０、及び３群レンズ玉枠１２；
を備え、
　上記回転前進筒４と直進筒Ａ５は、カム環７に固着されるカムフォロワーＡ６が、円周方向に１２０°間隔で設けられた回転前進筒４のテーパーカム４ｃ、前記直進筒Ａ５のカム穴５ｅと係合するようにして組み立てられ、
　カム環７の各カムフォロワーＡ６は、上記回転前進筒４と直進筒Ａ５の各テーパーカム４ｃ、と各カム穴５ｅに、１２０゜毎の３つの円周方向位置のいずれかの位置を選択して係合され、
　上記回転前進筒４と直進筒Ａ５とカム環７の組立体は、該回転前進筒４と直進筒Ａ５の選択した相対回転位置を維持したまま、直進筒Ａ５の３つの直進リブ５ｄを固定筒２の３つの直進溝２ｂに選択してそれぞれ係合し、この状態で固定筒２の各メスヘリコイド２ａと回転前進筒４の各オスヘリコイド４ａをそれぞれ螺合することにより該固定筒２と組み立てられることを特徴とするズームレンズ機構。」（以下、「引用発明」という。）が記載されている。
　
　同じく、原査定の拒絶の理由で引用された、本願の出願前に頒布された刊行物である特開平４−３５３８１１号公報（以下、「引用例２」という。）には、以下の点が記載されている。
エ．【００１１】
　まず、上記図１〜８を用いて上記ズームレンズ鏡筒のズーム機構部の構成について説明する。　
　上記固定枠５２の外周には、カム環５１が回転自在に嵌合している。そのカム環５１の光軸Ｏ方向の移動は、止めリング５４で規制されている。上記カム環５１の内周側には、複数のカム溝、即ち、傾斜した第１群用内径カム５１ａと、第２群用内径カム５１ｂと、フレア絞り用内径カム５１ｃとが内周を３等分した位置に各々３箇所設けられている（図４，６参照）。なお、これらの内径カムは有底のテ−パ状カム溝とする。そして、第１群用内径カム５１ａだけは、図４の展開図に示すようにワイド位置から沈胴位置までの区間でも更に、結像面側に傾斜して変化している。上記内径カム５１ａ，５１ｂ，５１ｃの沈胴位置から更に回転したところにカム５１ａ，５１ｂ，５１ｃが合流し、その開口部がカム環５１の後端面まで延びている共通のカム溝であるピン挿入溝５１ｄが設けられている。該カム５１ａ，５１ｂ，５１ｃにそれぞれ嵌入するカムフォロワである移動枠５３のピン５３ａ、第２群ズーム枠５５のピン５５ａ、フレア絞り５７のピン５７ａは、その作動範囲のテレ〜ワイド〜沈胴位置では上記ピン挿入溝５１ｄには干渉しない。　
　なお、上記カム環５１の外周にはカム環５１駆動用のズームギヤ−５１ｅが設けられている。
【００１２】
　一方、固定枠５２には、光軸Ｏに平行な回転規制溝５２ａが円周方向を３等分した３箇所に設けられ、移動枠５３の回転規制部５３ｂおよびラジアル嵌合部５３ｃ，および、第２群ズーム枠５５，フレア絞り５７の各ガイド部５５ｅ，５７ｂがそれぞれ摺動自在に嵌入しており、上記回転規制溝５２ａの側面で回転方向を規制され、回転規制溝５２ａ部に設けられたラジアル嵌合部５２ｂでラジアル方向が規制されている。また、２つの上記回転規制溝５２ａの間に連動ピン５８が摺動自在に嵌入する連動ピンカム５２ｃが一つ設けられている。このカムの形状は、図２，３のカム２ｃ展開部、あるいは、図６に示すようにテレ〜ワイド間は光軸Ｏに平行であって、ワイド〜沈胴間は傾斜している。
　
オ．【００１６】
　次に、以上のように構成されたズーム機構部のズーム、および、沈胴動作について説明する。　
　図示しないズームモータユニットのギヤ−がカム環５１のギヤ−５１ｅに噛合しており、該ズームモータユニットによりズーム、および、沈胴駆動が行われる。いま、該鏡筒がワイド状態にあるとし、カム環５１を該ズームモータユニットにより被写体側からみて反時計回りに回すと、移動枠５３がピン５３ａにより、また、第２群ズーム枠５５がピン５５ａにより、更に、フレア絞り５７がピン５７ａによりそれぞれ直進的に繰り出される。そして、第１群レンズ、第２群レンズ、および、フレア絞り５７もそれぞれテレ位置まで繰り出されテレ状態になる。続いて、時計回りに回すと、上記各枠５３，５５及びフレア絞り５７はワイド位置を通り、更に、沈胴位置へ繰り込まれることになる。
　
（３）対比
　そこで、本願発明と引用発明とを比較する。
　引用発明の「直進溝２ｂ」は、本願発明の「直進案内溝」に相当する。同様に、「メスヘリコイド２ａ」は「雌ヘリコイド」に、「固定筒２」は「固定環」に、「オスヘリコイド４ａ」は「雄ヘリコイド」に、「テーパーカム４ｃ」は「有底カム溝」に、「回転前進筒４」は「カム環」に、「直進リブ５ｄ」は「直進案内突起」に、「直進筒Ａ５」は「直進案内環」に、「カムフォロワーＡ６」は「摺動突起」に、「ズームレンズ機構」は「ズームレンズ鏡筒の選択組立装置」に、それぞれ相当する。
　
　また、本願発明の「直進案内貫通溝」と、引用発明の「カム穴５ｅ」とは、「案内貫通溝」である点で一致している。
　
　また、本願発明の「光軸を中心とする円周方向に１２０゜間隔で突設した、直進案内環の各直進案内貫通溝とそれぞれ係合可能な３つの摺動突起と、この摺動突起上にそれぞれ形成した、カム環の各有底カム溝とそれぞれ係合可能な３つのカムフォロアとを有する複数のレンズ枠」と、引用発明の「光軸を中心とする円周方向に１２０゜間隔で突設した、直進筒Ａ５の各カム穴５ｅと回転前進筒４のテーパーカム４ｃと、それぞれ係合可能な３つのカムフォロワーＡ６を有するカム環７」とは、「光軸を中心とする円周方向に１２０゜間隔で突設した、直進案内環の各案内貫通溝とカム環の各有底カム溝とに、それぞれ係合可能な３つの摺動カムフォロアとを有する移動体」である点で一致している。
　
　また、引用発明において、「回転前進筒４と直進筒Ａ５は、カム環７に固着されるカムフォロワーＡ６が、円周方向に１２０°間隔で設けられた回転前進筒４のテーパーカム４ｃ、前記直進筒Ａ５のカム穴５ｅと係合するようにして組み立てられ」ていることから、回転前進筒４と直進筒Ａ５は、両者の相対回転位置を、上記円周方向に１２０°間隔で設定した特定の３つの位置から選択して組み立てられていることは明らかであり、引用発明の「上記回転前進筒４と直進筒Ａ５は、カム環７に固着されるカムフォロワーＡ６が、円周方向に１２０°間隔で設けられた回転前進筒４のテーパーカム４ｃ、前記直進筒Ａ５のカム穴５ｅと係合するようにして組み立てられ」は、本願発明の「上記カム環と直進案内環は、両者の相対回転位置を、上記円周方向に１２０°間隔で設定した特定の３つの位置から選択して組み立てられ」に相当する。
　
　また、本願発明の「各レンズ枠の各摺動突起と各カムフォロアは、上記カム環と直進案内環の各直進案内貫通溝と各カム溝に、１２０゜毎の３つの円周方向位置のいずれかの位置を選択して係合され」と、引用発明の「カム環７の各カムフォロワーＡ６は、上記回転前進筒４と直進筒Ａ５の各テーパーカム４ｃ、と各カム穴５ｅに、１２０゜毎の３つの円周方向位置のいずれかの位置を選択して係合され」とは、「移動体の各摺動カムフォロアは、上記カム環と直進案内環の各案内貫通溝と各カム溝に、１２０゜毎の３つの円周方向位置のいずれかの位置を選択して係合され」である点で一致している。
　
　また、本願発明の「上記カム環と直進案内環とレンズ枠の組立体は、該カム環と直進案内環の選択した相対回転位置を維持したまま、直進案内環の３つの直進案内突起を固定環の３つの直進案内溝に選択してそれぞれ係合し、この状態で固定環の各雌ヘリコイドとカム環の各雄ヘリコイドをそれぞれ螺合することにより該固定環と組み立てられる」と、引用発明の「上記回転前進筒４と直進筒Ａ５とカム環７の組立体は、該回転前進筒４と直進筒Ａ５の選択した相対回転位置を維持したまま、直進筒Ａ５の３つの直進リブ５ｄを固定筒２の３つの直進溝２ｂに選択してそれぞれ係合し、この状態で固定筒２の各メスヘリコイド２ａと回転前進筒４の各オスヘリコイド４ａをそれぞれ螺合することにより該固定筒２と組み立てられる」とは、「上記カム環と直進案内環と移動体の組立体は、該カム環と直進案内環の選択した相対回転位置を維持したまま、直進案内環の３つの直進案内突起を固定環の３つの直進案内溝に選択してそれぞれ係合し、この状態で固定環の各雌ヘリコイドとカム環の各雄ヘリコイドをそれぞれ螺合することにより該固定環と組み立てられる」である点で一致している。
　
　したがって、本願補正発明と引用発明とは、「内周面に光軸を中心とする円周方向に１２０゜間隔で形成した光軸と平行な３本の直進案内溝と、該内周面に各直進案内溝の間に位置させて形成した同一仕様の３つの雌ヘリコイドと、を有し、光軸回りの回転を拘束される固定環；
　外周面に各雌ヘリコイドとそれぞれ螺合可能な同一仕様の３つの雄ヘリコイドを光軸を中心とする円周方向に並べて形成し、内周面に光軸を中心とする円周方向に１２０゜間隔で３組の有底カム溝を形成し、回転駆動されるカム環；
　上記固定環の各直進案内溝とそれぞれ係合可能であり光軸を中心とする円周方向に１２０゜間隔で突設した３本の直進案内突起と、光軸を中心とする円周方向に１２０゜間隔で形成した光軸と平行な３本の案内貫通溝とを有し、上記カム環と相対回転は自在に光軸方向には一緒に移動するように組み立てられる直進案内環；
　光軸を中心とする円周方向に１２０゜間隔で突設した、直進案内環の各案内貫通溝とカム環の各有底カム溝とに、それぞれ係合可能な３つの摺動カムフォロアとを有する移動体；
を備え、
　上記カム環と直進案内環は、両者の相対回転位置を、上記円周方向に１２０°間隔で設定した特定の３つの位置から選択して組み立てられ、
　移動体の各摺動カムフォロアは、上記カム環と直進案内環の各案内貫通溝と各カム溝に、１２０゜毎の３つの円周方向位置のいずれかの位置を選択して係合され、
　上記カム環と直進案内環と移動体の組立体は、該カム環と直進案内環の選択した相対回転位置を維持したまま、直進案内環の３つの直進案内突起を固定環の３つの直進案内溝に選択してそれぞれ係合し、この状態で固定環の各雌ヘリコイドとカム環の各雄ヘリコイドをそれぞれ螺合することにより該固定環と組み立てられることを特徴とするズームレンズ鏡筒の選択組立装置。」である点で一致し、以下の各点で相違する。
　
相違点１；
　本願発明は、直進案内環に有する案内貫通溝が直進案内貫通溝であるのに対し、引用発明は、カム穴５ｅである点。
　
相違点２；
　本願発明は、直進案内環の各案内貫通溝とカム環の各有底カム溝とに、それぞれ係合可能な３つの摺動カムフォロアとを有する移動体が、直進案内環の各直進案内貫通溝とそれぞれ係合可能な３つの摺動突起と、この摺動突起上にそれぞれ形成した、カム環の各有底カム溝とそれぞれ係合可能な３つのカムフォロアとを有する複数のレンズ枠であるのに対し、引用発明は、直進筒Ａ５の各カム穴５ｅと回転前進筒４のテーパーカム４ｃと、それぞれ係合可能な３つのカムフォロワーＡ６を有するカム環７である点。
　
相違点３；
　本願発明は、組立体がカム環と直進案内環とレンズ枠の組立体であるのに対し、引用発明は、回転前進筒４と直進筒Ａ５とカム環７の組立体である点。
　
（４）当審の判断
以下、各相違点について検討する。
相違点１について
　本願発明のカム環と直進案内環に対応する部材を有する繰り出し機構において、直進案内環の
案内貫通溝を直進
直進ガイド部８ｄ
回転規制溝５２ａ
　
相違点２について
　まず、本願発明のカム環と直進案内環に対応する部材を有する繰り出し機構において、移動体を
複数のレンズ枠
１群レンズ保持筒１０、３群レンズ玉枠１２
移動枠５３、第２群ズーム枠５５
　また、本願発明のカム環と直進案内環に対応する部材を有する繰り出し機構において、移動体が、直進案内環の各直進案内貫通溝とそれぞれ係合可能な３つの
摺動突起
カムフォロア
直進キー部１２ｂ
カムフォロワー部１２ａ
　してみれば、上記相違点２に係る本願発明の構成を限定することは、引用発明とは別の引用例１に記載された発明、及び従来周知の技術事項から当業者にとって容易である。
　
相違点３について
　相違点２の検討から、移動体をレンズ枠とすることは、当業者にとって容易であり、その際、案内貫通溝、有底カム溝、及びカムフォロア等の繰り出し機構としての構成は、ほぼ同様であるので、組立体の構成も同様のものとなると理解される。
　したがって、上記相違点３に係る本願発明の構成を限定することは、当業者にとって容易である。
　
　そして、本願発明の効果も、引用例１、２に記載された発明、及び従来周知の技術事項から予測される範囲のもので格別のものとは言えない。
　
　したがって、本願発明は、引用例１、２に記載された発明、及び従来周知の技術事項に基づいて、当業者が容易に発明をすることができたものである。
　
（５）むすび
　以上のとおり、本願発明は、引用例１、２に記載された発明、及び従来周知の技術事項に基づいて、当業者が容易に発明をすることができたものであるから、特許法第２９条第２項の規定により特許を受けることができない。
　よって、結論のとおり審決する。